(57)【要約】【課題】  光検出器の検出した２つの光ディスク再生信号の振幅差を削減するようにフィードバック制御する、ウォブル検出回路の自動可変利得制御部分において、個別に可変利得制御する際の個別回路同士のばらつきを削減し、Ｃ／Ｎ及びジッタを改善すること。【解決手段】  ウォブル検出回路において、可変利得器３及び４の出力である光ディスク再生信号１及び２の整流信号に基づいて、それぞれ一つの比較器１０、低域通過フィルタ７及び制御バッファ１７を用いて可変利得器３及び４の利得制御を行う制御信号を生成しＣ／Ｎを改善、二値化したウォブル信号はヒステリシス特性を有する比較器を用いてジッタを改善する。【選択図】  図１
2005322361.tif 000002
【特許請求の範囲】
【請求項１】
光ディスクから得られる第１、第２の再生信号からウォブル信号を検出するウォブル検出回路において、
前記第１の信号の振幅を可変させる第１の可変利得器と、
前記第２の信号の振幅を可変させる第２の可変利得器と、
前記第１の可変利得器の出力信号を整流する第１の整流器と、
前記第２の可変利得器の出力信号を整流する第２の整流器と、
前記第１及び第２の整流器で整流された信号を入力として、これら信号を比較演算する第１の比較器と、
前記第１の比較器により比較演算された交流成分を積分して直流成分とするフィルタ手段と、
前記フィルタ手段から出力される直流成分を第１の基準電圧と比較して前記第１及び第２の可変利得器の出力振幅を等しくするように制御する制御バッファと、
前記第１の可変利得器の出力信号と前記第２の可変利得器の出力信号とを引算する引算器と、
入力信号に対する出力信号の特性がヒステリシス特性を有し、前記引算器で引算の結果得られたウォブル信号を第２の基準電圧と比較して二値化する第２の比較器とを備えた、
ことを特徴とするウォブル検出回路。
【請求項２】
請求項１記載のウォブル検出回路において、
前記第１の整流器へ入力される信号の振幅を可変とする第３の可変利得器と、
前記第２の整流器へ入力される信号の振幅を可変とする第４の可変利得器と、
を備え、
前記第１及び第２の可変利得器の出力誤差が小さくなるように制御する、
ことを特徴とするウォブル検出回路。
【請求項３】
請求項１記載のウォブル検出回路において、
前記第１の整流器から出力される信号の振幅を可変とする第５の可変利得器と、
前記第２の整流器から出力される信号の振幅を可変とする第６の可変利得器と、
を備え、
前記第１及び第２の整流器の出力誤差が小さくなるように制御する、
ことを特徴とするウォブル検出回路。
【請求項４】
請求項１記載のウォブル検出回路において、
前記第１の整流器から出力される信号のＤＣ電圧を可変とする第１のＤＣ制御器と、
前記第２の整流器から出力される信号のＤＣ電圧を可変とする第２のＤＣ制御器と、
を備え、
前記第１及び第２の整流器の出力誤差が小さくなるように制御する、
ことを特徴とするウォブル検出回路。
【発明の詳細な説明】
【技術分野】
【０００１】
本発明は、光学的に情報の読み書き可能な光ディスクに対する情報記録再生技術に関するものであり、特に光ディスクの情報記録面上にランド部とグルーブ部とが交互に形成されたトラックを光ピックアップに対して蛇行（ウォブル）させることにより、トラックの位置情報を得る光ディスク及びその記録又は再生装置において、光ディスク再生信号からウォブル信号を検出する回路に関する。
【背景技術】
【０００２】
従来、光ディスク再生信号からウォブル信号を検出するウォブル検出回路については特許文献１に開示されている。
【０００３】
図５は従来の一般的なウォブル検出回路の一例を示す構成図である。図５において、３及び４は、光ディスクに照射した光の反射光に基づいて光検出器から得られる２つの光ディスク再生信号１及び２の振幅を変化させ、出力することができる可変利得器、１３及び１４は可変利得器３及び４で可変出力された光ディスク再生信号を整流する整流器である。また、１０及び１１は整流器１３及び１４の出力をそれぞれ、基準電圧１２と比較演算する比較器、７及び８は比較器１０及び１１により比較演算された交流成分を積分して直流成分とするＬＰＦ（低域通過フィルタ）、５及び６はＬＰＦ７及び８から出力される直流成分を基準電圧９と比較して、可変利得器３及び４のそれぞれの出力振幅が等しくなるように制御する制御バッファ、１５は一方の可変利得器３で可変出力された光ディスク再生信号と他方の可変利得器４で可変出力された光ディスク再生信号とを引算する引算器、２５は引算器１５で検出したウォブル信号１６を基準電圧２６と比較して二値化する比較器である。
【０００４】
上記可変利得器３，整流器１３，比較器１０，ＬＰＦ７，制御バッファ５は、基準電圧９及び１２を基準に光ディスク再生信号１の振幅を制御する自動利得制御器２３を構成している。また、可変利得器４と整流器１４と比較器１１とＬＰＦ８と制御バッファ６とは基準電圧９及び１２を基準に光ディスク再生信号２の振幅を制御する自動利得制御器２４を構成している。
【０００５】
光ピックアップの光学系にずれが生じている場合や、光ディスクに偏心がある場合には、光検出器の出力したそれぞれの光ディスク再生信号１及び２に振幅差が生じる。この振幅差をなくす目的で自動利得制御器２３及び２４は基準電圧９及び１２を基準に自動利得制御を行い、光ディスク再生信号１及び２を可変利得器３及び４によりそれぞれ任意の等しい振幅に揃えて、引算器１５の引き算によりＲＦ成分を相殺してウォブル信号１６を検出している。また、二値化したウォブル信号２７を比較器２５で基準電圧２６と比較して検出している。
【特許文献１】特開平９−７３６３６号公報
【発明の開示】
【発明が解決しようとする課題】
【０００６】
従来のウォブル検出回路は以上のように構成されており、ランド部とグルーブ部とが交互に形成されたトラックを蛇行させることにより、トラックの位置情報を得る光ディスクに使用する情報記録再生技術において、光ピックアップの光学系にずれを生じている場合や、光ディスクに偏心がある場合に、光検出器の出力した各系統の光ディスク再生信号に振幅差が生じても、自動利得制御器２３及び２４は振幅差を無くすように機能し、光ディスク再生信号からウォブル信号を検出していた。しかしながらこのような構成では、より精度良くウォブル信号を検出したい場合に問題が生じる。詳述すると、図５における自動利得制御器２３を構成している可変利得器３と整流器１３と比較器１０とＬＰＦ７と制御バッファ５と、自動利得制御器２４を構成している可変利得器４と整流器１４と比較器１１とＬＰＦ８と制御バッファ６とは、それぞれ基準電圧９及び１２を基準として同じ自動利得制御を行う作用を有するが、これら自動利得制御器２３及び２４を構成する共通の回路には個別に固有のばらつきが存在する。すなわち、自動利得制御器２３及び２４が独立に振幅制御をするので、それらの構成回路間の有するばらつきにより、可変利得器３及び４の振幅差が無視できなくなり、光ディスク再生信号からウォブル信号を検出する場合に、引算器１５で引算する光ディスク再生信号の振幅の差分が引算器１５からの出力後においてウォブル信号に残留するＲＦ信号となって現れる。そしてこの残留するＲＦ信号がノイズとなり、検出したウォブル信号のＣ／Ｎを悪化させることになる。
【０００７】
また、二値化したウォブル信号を検出する比較器２５では残留するＲＦ信号によるノイズがジッタとなり、結果、正確なトラックの位置情報が得られないという問題点があった。
【０００８】
本発明は以上のような問題点を解消するためになされたもので、自動利得制御器２３及び２４を構成する各回路が個別、即ち独立に作用することから生じる各回路間のばらつきの影響を低減し、より精度良くウォブル信号を検出することによりＣ／Ｎ及びジッタを改善することのできるウォブル検出回路を提供することを目的とする。
【課題を解決するための手段】
【０００９】
本発明の請求項１にかかるウォブル検出回路は、光ディスクから得られる第１、第２の再生信号からウォブル信号を検出するウォブル検出回路において、前記第１の信号の振幅を可変させる第１の可変利得器と、前記第２の信号の振幅を可変させる第２の可変利得器と、前記第１の可変利得器の出力信号を整流する第１の整流器と、前記第２の可変利得器の出力信号を整流する第２の整流器と、前記第１及び第２の整流器で整流された信号を入力として、これら信号を比較演算する第１の比較器と、前記第１の比較器により比較演算された交流成分を積分して直流成分とするフィルタ手段と、前記フィルタ手段から出力される直流成分を第１の基準電圧と比較して前記第１及び第２の可変利得器の出力振幅を等しくするように制御する制御バッファと、前記第１の可変利得器の出力信号と前記第２の可変利得器の出力信号とを引算する引算器と、入力信号に対する出力信号の特性がヒステリシス特性を有し、前記引算器で引算の結果得られたウォブル信号を第２の基準電圧と比較して二値化する第２の比較器とを備えた、ことを特徴とするものである。
【００１０】
本発明の請求項２にかかるウォブル検出回路は、請求項１記載のウォブル検出回路において、前記第１の整流器へ入力される信号の振幅を可変とする第３の可変利得器と、前記第２の整流器へ入力される信号の振幅を可変とする第４の可変利得器と、を備え、前記第１及び第２の可変利得器の出力誤差が小さくなるように制御する、ことを特徴とするものである。
【００１１】
本発明の請求項３にかかるウォブル検出回路は、請求項１記載のウォブル検出回路において、前記第１の整流器から出力される信号の振幅を可変とする第５の可変利得器と、前記第２の整流器から出力される信号の振幅を可変とする第６の可変利得器と、を備え、前記第１及び第２の整流器の出力誤差が小さくなるように制御する、ことを特徴とするものである。
【００１２】
本発明の請求項４にかかるウォブル検出回路は、請求項１記載のウォブル検出回路において、前記第１の整流器から出力される信号のＤＣ電圧を可変とする第１のＤＣ制御器と、前記第２の整流器から出力される信号のＤＣ電圧を可変とする第２のＤＣ制御器と、を備え、前記第１及び第２の整流器の出力誤差が小さくなるように制御する、ことを特徴とするものである。
【発明の効果】
【００１３】
以上のように、本発明の請求項１にかかるウォブル検出回路は、光ディスクから得られる第１、第２の再生信号からウォブル信号を検出するウォブル検出回路において、前記第１の信号の振幅を可変させる第１の可変利得器と、前記第２の信号の振幅を可変させる第２の可変利得器と、前記第１の可変利得器の出力信号を整流する第１の整流器と、前記第２の可変利得器の出力信号を整流する第２の整流器と、前記第１及び第２の整流器で整流された信号を入力として、これら信号を比較演算する第１の比較器と、前記第１の比較器により比較演算された交流成分を積分して直流成分とするフィルタ手段と、前記フィルタ手段から出力される直流成分を第１の基準電圧と比較して前記第１及び第２の可変利得器の出力振幅を等しくするように制御する制御バッファと、前記第１の可変利得器の出力信号と前記第２の可変利得器の出力信号とを引算する引算器と、入力信号に対する出力信号の特性がヒステリシス特性を有し、前記引算器で引算の結果得られたウォブル信号を第２の基準電圧と比較して二値化する第２の比較器とを備えたものとしたので、２系統の信号の振幅が等しくなるように制御する自動可変利得制御器を構成する比較器、低域通過フィルタ、及び、制御バッファをそれぞれ一の回路により処理が行なわれ、従来の各系統の信号に対して個別の構成で処理を行う場合に比較して、各回路間のばらつきの影響が低減され、引算後に精度良いウォブル信号を検出することが可能となり、Ｃ／Ｎの改善を実現することができる効果がある。また、ウォブル信号の二値化においてはヒステリシス特性を有する比較器を備えることでジッタの改善を実現することができる効果がある。
【００１４】
また、本発明の請求項２にかかるウォブル検出回路は、請求項１記載のウォブル検出回路において、前記第１の整流器へ入力される信号の振幅を可変とする第３の可変利得器と、前記第２の整流器へ入力される信号の振幅を可変とする第４の可変利得器と、を備え、前記第１及び第２の可変利得器の出力誤差が小さくなるように制御するものとし、自動利得制御器が整流器を共有していないために生じてしまう一方の可変利得器から出力される光ディスク再生信号の振幅と、他方の可変利得器から出力される光ディスク再生信号の振幅との微小な差分を前記第３、第４の可変利得器で信号の利得を調整する構成としたので、整流器間のばらつきに起因する誤差成分を低減することができ、引算器後には、更に精度良いウォブル信号を検出することが可能となり、Ｃ／Ｎの改善を実現することができる効果がある。
【００１５】
また、本発明の請求項３にかかるウォブル検出回路は、請求項１記載のウォブル検出回路において、前記第１の整流器から出力される信号の振幅を可変とする第５の可変利得器と、前記第２の整流器から出力される信号の振幅を可変とする第６の可変利得器と、を備え、前記第１及び第２の整流器の出力誤差が小さくなるように制御するものとし、自動利得制御器が整流器を共有していないために生じてしまう、一方の可変利得器から出力される光ディスク再生信号の振幅と、他方の可変利得器から出力される光ディスク再生信号の振幅との微小な差分を、前記第５、第６の可変利得器を用いて信号の利得を調整することにより調整する構成としたので、整流器間のばらつきに起因する誤差成分を低減することができ、引算器後には、更に精度良いウォブル信号を検出することが可能となり、Ｃ／Ｎの改善を実現することができる効果がある。
【００１６】
また、本発明の請求項４記載のウォブル検出回路によれば、請求項１記載のウォブル検出回路において、前記第１の整流器から出力される信号のＤＣ電圧を可変とする第１のＤＣ制御器と、前記第２の整流器から出力される信号のＤＣ電圧を可変とする第２のＤＣ制御器と、を備え、前記第１及び第２の整流器の出力誤差が小さくなるように制御するものとし、自動利得制御器が整流器を共有していないために生じてしまう一方の可変利得器から出力される光ディスク再生信号の振幅と、他方の可変利得器から出力される光ディスク再生信号の振幅との微小な差分を前記第１及び第２のＤＣ制御器で信号のＤＣ電圧を調整する構成としたので、整流器間のばらつきに起因する誤差成分を低減することができ、引算器後には、更に精度良いウォブル信号を検出することが可能となり、Ｃ／Ｎの改善を実現することができる効果がある。
【発明を実施するための最良の形態】
【００１７】
以下、本発明の実施の形態について、図面を参照しながら説明する。
（実施の形態１）
図１は本発明の実施の形態１におけるウォブル検出回路の構成を示す図である。図１において、３及び４は図示しない光ディスクに照射した光の反射光に基づいて光検出器（図示せず）から得られる２つの光ディスク再生信号１及び２の振幅をそれぞれ可変出力する可変利得器（第１及び第２の可変利得器）、１３及び１４は可変利得器３及び４で可変出力された光ディスク再生信号１及び２をそれぞれ整流する整流器（第１及び第２の整流器）、１０は一方の整流器１３の出力と他方の整流器１４の出力とを比較演算する比較器、７は比較器１０により比較演算された交流成分を積分して直流成分とする、フィルタ手段であるＬＰＦ（低域通過フィルタ）、１７はＬＰＦ７から出力される直流成分を基準電圧（第１の基準電圧）９と比較して可変利得器３及び４を制御する制御バッファ、１５は一方の可変利得器３で可変出力された光ディスク再生信号と他方の可変利得器４で可変出力された光ディスク再生信号とを引算してウォブル信号１６を出力する引算器であり、２８はウォブル信号１６を用いて基準電圧（第２の基準電圧）２６と比較して二値化ウォブル信号２７を出力するヒステリシス特性を有した比較器である。
【００１８】
上記可変利得器３及び４、整流器１３及び１４、比較器１０、ＬＰＦ７、及び、制御バッファ１７が自動利得制御器を構成するものとなっており、一方の整流器１３の出力と他方の整流器１４の出力とで比較演算を行い、制御バッファ１７は一方の可変利得器３と他方の可変利得器４とをそれぞれ逆制御、即ち、一方の利得を上げるときには他方の利得を下げる作用を有する。この作用により、一方の可変利得器３で可変出力された光ディスク再生信号１の振幅と、他方の可変利得器４で可変された光ディスク再生信号２の振幅とを等しくなるように制御を行なう。
【００１９】
以上のように構成された本実施の形態１におけるウォブル検出回路について、以下に、光検出器（図示せず）の出力した光ディスク再生信号１及び２からウォブル信号１６及び二値化ウォブル信号２７を検出するまでの光ディスク再生信号の信号処理について、図６に示した波形図を用いて説明する。なお、本実施の形態１では、光ピックアップの光学系にずれを生じている場合や、光ディスクに偏心がある場合を仮定し、光検出器（図示せず）の出力したそれぞれの光ディスク再生信号１及び２に振幅差が生じている状態について説明する。
【００２０】
図６において、図６（ａ）は、光検出器の出力した光ディスク再生信号１、図６（ｂ）は光検出器の出力した光ディスク再生信号２を示し、ここでA及びCは図６（ａ）、（ｂ）の光ディスク再生信号１及び２に含まれるウォブル信号、また、B及びDは図６（ａ）、（ｂ）の光ディスク再生信号１及び２に含まれるＲＦ信号である。また、図６（ｃ）は利得制御が行われ可変利得器３から出力された後の光ディスク再生信号１、図６（ｄ）は利得制御が行われ可変利得器４から出力された後の光ディスク再生信号２、図６（ｅ）は引算器の引き算によりＲＦ信号を除去して得られたウォブル信号１６、図６（ｆ）はヒステリシス特性を有した比較器２８でウォブル信号１６を二値化したウォブル信号２７である。
【００２１】
図６（ａ）の光ディスク再生信号１と図６（ｂ）の光ディスク再生信号２とに含まれるウォブル信号Ａ及びＣとＲＦ信号Ｂ及びＤとの位相関係はそれぞれ次の関係にある。即ち、図６（ａ）の光ディスク再生信号１と図６（ｂ）の光ディスク再生信号２とに含まれるそれぞれのウォブル信号Ａ及びＣの位相差は１８０°であり、また、図６（ａ）の光ディスク再生信号１と図６（ｂ）の光ディスク再生信号２とに含まれるそれぞれのＲＦ信号Ｂ及びＤの位相差は０°である。
【００２２】
本実施の形態１におけるウォブル検出器を構成する自動利得制御器は、図６（ａ）の光ディスク再生信号１と図６（ｂ）の光ディスク再生信号２とを一方の可変利得器３と他方の可変利得器４とでそれぞれを逆制御する。即ち、一方の利得を上げるときには他方の利得を下げる利得制御を行い、可変利得器３及び４から出力される図６（ｃ）及び図６（ｄ）の光ディスク再生信号１及び２が等しい振幅となるまで制御が繰り返される。なお、可変利得器３及び４から出力される図６（ｃ）及び図６（ｄ）の光ディスク再生信号１及び２に含まれるウォブル信号及びＲＦ信号の位相関係は、それぞれ、図６（ａ）及び図６（ｂ）の光ディスク再生信号１及び２の時と変わらない。よって利得制御された図６（ｃ）及び図６（ｄ）の光ディスク再生信号１及び２におけるＲＦ信号は、お互いに振幅が等しく位相差が０°であるため、これを引算器１５で引算することにより除去することが可能となる。
【００２３】
一方、利得制御された光ディスク再生信号である図６（ｃ）及び図６（ｄ）に含まれるウォブル信号は位相差が１８０°であるので引算器１５で引算しても除去されずに検出されることになる。また、図６（ｅ）のウォブル信号１６を二値化する手段２８として、比較器にヒステリシス特性を有するものを用いることで微小に残留するＲＦ信号による影響を受けずに図６（ｆ）に示すような良好な二値化が可能となる。
【００２４】
以上のように本実施の形態１によるウォブル検出回路によれば、２系統の信号の振幅が等しくなるように制御する自動可変利得制御器を構成する比較器１０、比較器１０の出力を直流成分にする低域通過フィルタ７、及び、低域通過フィルタ７の出力を受ける制御バッファ１７からなる一経路の回路により処理を行う構成としたので、従来の各系統の信号に対する個別処理の構成に比較して、各回路間のばらつきの影響が低減され、引算後に精度良いウォブル信号を検出することが可能となり、Ｃ／Ｎの改善を実現することができる。また、ウォブル信号の二値化においてはヒステリシス特性を有する比較器２８を用いることでジッタの改善を実現することができる。
【００２５】
（実施の形態２）
次に、本発明の実施の形態２にかかるウォブル検出回路について説明する。
図２は本実施の形態２におけるウォブル検出回路の構成を示すブロック図である。図２において、図１と同一符号は同一、または相当部分を示し、本実施の形態２では、整流器１３及び１４の直前に、第３、第４の可変利得器２９及び３０をそれぞれ設けて、自動利得制御器を構成する整流器を１つの回路で実現できないことから生じる回路間の固有のばらつきを、引算器１５で検出されるウォブル信号１６にＲＦ信号が残留しないように利得制御することで、第１、第２の可変利得器３及び４の出力である光ディスク再生信号１及び２の振幅を微調整（補正）する構成となっている点が上記実施の形態１と異なることを特徴とするものである。
【００２６】
以上のように構成された本実施の形態２におけるウォブル検出回路について以下に、光検出器（図示せず）の出力した光ディスク再生信号１及び２からウォブル信号１６及び二値化ウォブル信号２７を検出するまでの光ディスク再生信号の信号処理について、図７に示した波形図を用いて説明する。なお、光ピックアップ（図示せず）の光学系にずれを生じている場合や、光ディスク（図示せず）に偏心がある場合を仮定し、光検出器の出力したそれぞれの光ディスク再生信号１及び２に振幅差が生じている状態として説明する。
【００２７】
図７において、図７（ａ）は光検出器の出力した光ディスク再生信号１、図７（ｂ）は光検出器の出力した光ディスク再生信号２を示し、図７（ａ）及び図７（ｂ）のＡ、Ｃは光ディスク再生信号１及び２に含まれるウォブル信号、また、図７（ａ）及び図７（ｂ）のＢ、Ｄは光ディスク再生信号１及び２に含まれるＲＦ信号、図７（ｇ）は整流器１３及び１４に固有のばらつきがある状態で自動利得制御器の利得制御を行い可変利得器３から出力される光ディスク再生信号１、図７（ｈ）は整流器１３及び１４に固有のばらつきがある状態で自動利得制御器の利得制御を行い可変利得器４から出力される光ディスク再生信号２、図７（ｃ）は整流器１３及び１４の固有のばらつきを可変利得器２９及び３０で利得補正して得られた可変利得器３から出力される光ディスク再生信号１、図７（ｄ）は整流器１３及び１４の固有のばらつきを可変利得器２９及び３０で利得補正して得られた可変利得器４から出力される光ディスク再生信号２、図７（ｅ）は引算器の引き算によりＲＦ信号を除去して得られたウォブル信号１６、図７（ｆ）はヒステリシス特性を有した比較器２８でウォブル信号１６を二値化したウォブル信号２７である。
【００２８】
図７（ａ）の光ディスク再生信号１と図７（ｂ）の光ディスク再生信号２とに含まれるウォブル信号Ａ、Ｃ及びＲＦ信号Ｂ、Ｄの位相関係はそれぞれ次の関係にある。即ち、図７（ａ）の光ディスク再生信号１と図７（ｂ）の光ディスク再生信号２とに含まれるウォブル信号Ａ、Ｃの位相差は１８０°であり、また、図７（ａ）の光ディスク再生信号１と図７（ｂ）の光ディスク再生信号２とに含まれるＲＦ信号Ｂ、Ｄの位相差は０°である。
【００２９】
本実施の形態２におけるウォブル検出器を構成する自動利得制御器は、図７（ａ）の光ディスク再生信号１と図７（ｂ）の光ディスク再生信号２とを一方の可変利得器３と、他方の可変利得器４とでそれぞれ逆制御する。即ち、一方の利得を上げるときには他方の利得を下げる利得制御を行うが、整流器１３及び１４を共有せず個別に信号処理するために、整流器１３及び１４には個別に固有のばらつきが存在し、図７（ｇ）及び図７（ｈ）の光ディスク再生信号１及び２の振幅には微小な差が生じる。
【００３０】
そこで、本実施の形態２では、一方の可変利得器３から出力される図７（ｇ）の光ディスク再生信号１の振幅と、他方の可変利得器４から出力される図７（ｈ）の光ディスク再生信号２の振幅とを、可変利得器２９及び３０で互いに補正することにより、これら信号間の微小な差分を取り除き、振幅の等しい図７（ｃ）及び図７（ｄ）に示す光ディスク再生信号１及び２を出力するようにする。
【００３１】
なお、図７（ｃ）及び図７（ｄ）の光ディスク再生信号１及び２に含まれるウォブル信号及びＲＦ信号の位相関係は図７（ａ）及び図７（ｂ）の光ディスク再生信号１及び２の時と変わらない。よって、可変利得器２９及び３０で振幅を微調整された図７（ｃ）及び図７（ｄ）の光ディスク再生信号１及び２におけるＲＦ信号は、お互いに振幅が等しく位相差が０°であるため、これを引算器１５で引算することにより除去することができる。
【００３２】
一方、可変利得器２９及び３０で振幅を微調整された図７（ｃ）及び図７（ｄ）の光ディスク再生信号１及び２に含まれるウォブル信号は、その位相差が１８０°のために引算器１５で引算しても除去されずに検出されることになる。また、図７（ｅ）のウォブル信号１６を二値化する手段２８として、比較器にヒステリシス特性を有するものを用いることで、微小に残留するＲＦ信号による影響を受けずに図７（ｆ）に示すような良好な二値化が可能となる。
【００３３】
以上のように本実施の形態２によるウォブル検出回路によれば、２系統の信号の振幅が等しくなるように制御する自動可変利得制御器を構成する比較器１０、比較器１０の出力を直流成分にする低域通過フィルタ７、及び、低域通過フィルタ７の出力を受ける制御バッファ１７からなる一経路の回路により処理を行う構成としたので、従来の各系統の信号に対する個別処理の構成に比較して、各回路間のばらつきの影響が低減され、引算後に精度良いウォブル信号を検出することが可能となり、Ｃ／Ｎの改善を実現することができる。
【００３４】
また、上記整流器１３及び１４の直前に可変利得器２９及び３０を備えることにより実施の形態１におけるウォブル検出回路よりも精度よくＲＦ信号の除去が可能となる。
【００３５】
また、ウォブル信号の二値化においてはヒステリシス特性を有する比較器２８を用いることでジッタの改善を実現することができる。
【００３６】
（実施の形態３）
次に、本発明の実施の形態３にかかるウォブル検出回路について説明する。
図３は本実施の形態３におけるウォブル検出回路の構成を示すブロック図である。図３において、図１と同一符号は同一、または相当部分を示し、本実施の形態３では、整流器１３及び１４の直後に、整流信号の振幅を制御する第５、第６の可変利得器３１及び３２をそれぞれ設けて、自動利得制御器を構成する整流器を１つの回路で実現できないことから生じる回路間の固有のばらつきを、引算器１５で検出されるウォブル信号１６にＲＦ信号が残留しないように利得制御することで、第１、第２の可変利得器３及び４の出力である光ディスク再生信号１及び２の振幅を微調整（補正）する構成となっている点が上記実施の形態１と異なることを特徴とするものである。
【００３７】
以上のように構成された本実施の形態３におけるウォブル検出回路について以下に、光検出器（図示せず）の出力した光ディスク再生信号１及び２からウォブル信号１６及び二値化ウォブル信号２７を検出するまでの光ディスク再生信号の信号処理について、図７に示した波形図を用いて説明する。なお、光ピックアップ（図示せず）の光学系にずれを生じている場合や、光ディスク（図示せず）に偏心がある場合を仮定し、光検出器の出力したそれぞれの光ディスク再生信号１及び２に振幅差が生じていると状態として説明する。
【００３８】
図７において、図７（ａ）は光検出器の出力した光ディスク再生信号１、図７（ｂ）は光検出器の出力した光ディスク再生信号２を示し、図７（ａ）及び図７（ｂ）のＡ、Ｃは光ディスク再生信号１及び２に含まれるウォブル信号、また、図７（ａ）及び図７（ｂ）のＢ、Ｄは光ディスク再生信号１及び２に含まれるＲＦ信号、図７（ｇ）は整流器１３及び１４に固有のばらつきがある状態で自動利得制御器の利得制御を行い可変利得器３から出力される光ディスク再生信号１、図７（ｈ）は整流器１３及び１４に固有のばらつきがある状態で自動利得制御器の利得制御を行い可変利得器４から出力される光ディスク再生信号２、図７（ｃ）は整流器１３及び１４の固有のばらつきを可変利得器３１及び３２で利得補正して得られた可変利得器３から出力される光ディスク再生信号１、図７（ｄ）は整流器１３及び１４の固有のばらつきを可変利得器３１及び３２で利得補正して得られた可変利得器４から出力される光ディスク再生信号２、図７（ｅ）は引算器の引き算によりＲＦ信号を除去して得られたウォブル信号１６、図７（ｆ）はヒステリシス特性を有した比較器２８でウォブル信号１６を二値化したウォブル信号２７である。
【００３９】
図７（ａ）の光ディスク再生信号１と図７（ｂ）の光ディスク再生信号２とに含まれるウォブル信号Ａ、Ｃ及びＲＦ信号Ｂ、Ｄの位相関係はそれぞれ次の関係にある。即ち、図７（ａ）の光ディスク再生信号１と図７（ｂ）の光ディスク再生信号２とに含まれるウォブル信号Ａ、Ｃの位相差は１８０°であり、また、図７（ａ）の光ディスク再生信号１と図７（ｂ）の光ディスク再生信号２とに含まれるＲＦ信号Ｂ、Ｄの位相差は０°である。
【００４０】
本実施の形態３におけるウォブル検出器を構成する自動利得制御器は、図７（ａ）の光ディスク再生信号１と図７（ｂ）の光ディスク再生信号２とを一方の可変利得器３と、他方の可変利得器４とでそれぞれ逆制御する。即ち、一方の利得を上げるときには他方の利得を下げる利得制御を行うが、整流器１３及び１４を共有せず個別に信号処理するために整流器１３及び１４には個別に固有のばらつきが存在し、図７（ｇ）及び図７（ｈ）の光ディスク再生信号１及び２の振幅には微小な差が生じる。
【００４１】
そこで、本実施の形態３では、一方の可変利得器３から出力される図７（ｇ）の光ディスク再生信号１の整流器１３通過後の振幅と、他方の可変利得器４から出力される図７（ｈ）の光ディスク再生信号２の整流器１４通過後の振幅とを、可変利得器３１及び３２で互いに補正することにより、微小な差分を取り除き、振幅の等しい図７（ｃ）及び図７（ｄ）の光ディスク再生信号１及び２を出力するようにする。
【００４２】
なお、図７（ｃ）及び図７（ｄ）の光ディスク再生信号１及び２に含まれるウォブル信号及びＲＦ信号の位相関係は図７（ａ）及び図７（ｂ）の光ディスク再生信号１及び２の時と変わらない。よって、可変利得器３１及び３２で振幅を微調整された図７（ｃ）及び図７（ｄ）の光ディスク再生信号１及び２におけるＲＦ信号は、お互いに振幅が等しく位相差が０°であるため、これを引算器１５で引算することにより除去することができる。
【００４３】
一方、可変利得器３１及び３２で振幅を微調整された図７（ｃ）及び図７（ｄ）の光ディスク再生信号１及び２に含まれるウォブル信号は、その位相差が１８０°のために引算器１５で引算しても除去されずに検出されることになる。また、図７（ｅ）のウォブル信号１６を二値化する手段２８として、比較器にヒステリシス特性を有するものを用いることで、微小に残留するＲＦ信号による影響を受けずに図７（ｆ）に示すような良好な二値化が可能となる。
【００４４】
以上のように本実施の形態３にかかるウォブル検出回路よれば、２系統の信号の振幅が等しくなるように制御する自動可変利得制御器を構成する比較器１０、比較器１０の出力を直流成分にする低域通過フィルタ７、及び、低域通過フィルタ７の出力を受ける制御バッファ１７からなる一経路の回路により処理を行う構成としたので、従来の各系統の信号に対する個別処理の構成に比較して、各回路間のばらつきの影響が低減され、引算後に精度良いウォブル信号を検出することが可能となり、Ｃ／Ｎの改善を実現することができる。
【００４５】
また、上記整流器１３及び１４の直後に可変利得器３１及び３２を備えることにより実施の形態１におけるウォブル検出回路よりも精度よくＲＦ信号の除去が可能となる。
また、ウォブル信号の二値化においてはヒステリシス特性を有する比較器２８を用いることでジッタの改善を実現することができる。
【００４６】
（実施の形態４）
次に、本発明の実施の形態４にかかるウォブル検出回路について説明する。
図４は本実施の形態４におけるウォブル検出回路の構成を示すブロック図である。図４において、図１と同一符号は同一、または相当部分を示し、本実施の形態４では、整流器１３及び１４の直後に、整流信号のＤＣ電圧を制御する第１、第２のＤＣ制御器３３及び３４をそれぞれ設けて、自動利得制御器を構成する整流器を１つの回路で実現できないことから生じる回路間の固有のばらつきを、引算器１５で検出されるウォブル信号１６にＲＦ信号が残留しないように、整流信号のＤＣ電圧を制御することで、第１、第２の可変利得器３及び４の出力である光ディスク再生信号１及び２の振幅を微調整（補正）する構成となっている点が上記第１の実施の形態１と異なることを特徴とするものである。
【００４７】
以上のように構成された本実施の形態４におけるウォブル検出回路について以下に、光検出器（図示せず）の出力した光ディスク再生信号１及び２からウォブル信号１６及び二値化ウォブル信号２７を検出するまでの光ディスク再生信号の信号処理について、図７に示した波形図を用いて説明する。なお、光ピックアップ（図示せず）の光学系にずれを生じている場合や、光ディスク（図示せず）に偏心がある場合を仮定し、光検出器の出力したそれぞれの光ディスク再生信号１及び２に振幅差が生じていると状態として説明する。
【００４８】
図７において、図７（ａ）は光検出器の出力した光ディスク再生信号１、図７（ｂ）は光検出器の出力した光ディスク再生信号２を示し、図７（ａ）及び図７（ｂ）のＡ、Ｃは光ディスク再生信号１及び２に含まれるウォブル信号、また、図７（ａ）及び図７（ｂ）のＢ、Ｄは光ディスク再生信号１及び２に含まれるＲＦ信号、図７（ｇ）は整流器１３及び１４に固有のばらつきがある状態で自動利得制御器の利得制御を行い可変利得器３から出力される光ディスク再生信号１、図７（ｈ）は整流器１３及び１４に固有のばらつきがある状態で自動利得制御器の利得制御を行い可変利得器４から出力される光ディスク再生信号２、図７（ｃ）は整流器１３及び１４の固有のばらつきをＤＣ制御器３３及び３４で整流信号のＤＣ電圧を補正して得られた可変利得器３から出力される光ディスク再生信号１、図７（ｄ）は整流器１３及び１４の固有のばらつきをＤＣ制御器３３及び３４で整流信号のＤＣ電圧を補正して得られた可変利得器４から出力される光ディスク再生信号２、図７（ｅ）は引算器の引き算によりＲＦ信号を除去して得られたウォブル信号１６、図７（ｆ）はヒステリシス特性を有した比較器２８でウォブル信号１６を二値化したウォブル信号２７である。
【００４９】
図７（ａ）の光ディスク再生信号１と図７（ｂ）の光ディスク再生信号２とに含まれるウォブル信号Ａ、Ｃ及びＲＦ信号Ｂ、Ｄの位相関係はそれぞれ次の関係にある。即ち、図７（ａ）の光ディスク再生信号１と図７（ｂ）の光ディスク再生信号２とに含まれるウォブル信号Ａ、Ｃの位相差は１８０°であり、また、図７（ａ）の光ディスク再生信号１と図７（ｂ）の光ディスク再生信号２とに含まれるＲＦ信号Ｂ、Ｄの位相差は０°である。
【００５０】
本実施の形態４におけるウォブル検出器を構成する自動利得制御器は、図７（ａ）の光ディスク再生信号１と図７（ｂ）の光ディスク再生信号２とを一方の可変利得器３と、他方の可変利得器４とでそれぞれ逆制御する。即ち、一方の利得を上げるときには他方の利得を下げる利得制御を行うが、整流器１３及び１４を共有せず個別に信号処理するために整流器１３及び１４には個別に固有のばらつきが存在し、図７（ｇ）及び図７（ｈ）の光ディスク再生信号１及び２の振幅には微小な差が生じる。
【００５１】
そこで、本実施の形態４では、一方の可変利得器３から出力される図７（ｇ）の光ディスク再生信号１の振幅と、他方の可変利得器４から出力される図７（ｈ）の光ディスク再生信号２の振幅とをＤＣ制御器３３及び３４で互いに補正することにより、微小な差分を取り除き、振幅の等しい図７（ｃ）及び図７（ｄ）の光ディスク再生信号１及び２を出力するようにする。
【００５２】
なお、図７（ｃ）及び図７（ｄ）の光ディスク再生信号１及び２に含まれるウォブル信号及びＲＦ信号の位相関係は図７（ａ）及び図７（ｂ）の光ディスク再生信号１及び２の時と変わらない。よって、ＤＣ制御器３３及び３４で振幅を微調整された図７（ｃ）及び図７（ｄ）の光ディスク再生信号１及び２におけるＲＦ信号は、お互いに振幅が等しく位相差が０°であるため、これを引算器１５で引算することにより除去することができる。
【００５３】
一方、ＤＣ制御器３３及び３４で振幅を微調整された図７（ｃ）及び図７（ｄ）の光ディスク再生信号１及び２に含まれるウォブル信号は位相差が１８０°のために引算器１５で引算しても除去されずに検出されることになる。また、図７（ｅ）のウォブル信号１６を二値化する手段２８として、比較器にヒステリシス特性を有するものを用いることで、微小に残留するＲＦ信号による影響を受けずに図７（ｆ）に示すような良好な二値化が可能となる。
【００５４】
以上のように本実施の形態４によるウォブル検出回路によれば、２系統の信号の振幅が等しくなるように制御する自動可変利得制御器を構成する比較器１０、比較器１０の出力を直流成分にする低域通過フィルタ７、及び、低域通過フィルタ７の出力を受ける制御バッファ１７からなる一経路の回路により処理を行う構成としたので、従来の各系統の信号に対する個別処理の構成に比較して、各回路間のばらつきの影響が低減され、引算後に精度良いウォブル信号を検出することが可能となり、Ｃ／Ｎの改善を実現することができる。
【００５５】
また、整流器１３及び１４の直後に整流信号のＤＣ電圧を制御する第１、第２のＤＣ制御器３３及び３４を備えることにより、実施の形態１におけるウォブル検出回路よりも精度よくＲＦ信号の除去が可能となる。
【００５６】
また、ウォブル信号の二値化においてはヒステリシス特性を有する比較器２８を用いることでジッタの改善を実現することができる。
【００５７】
なお、上記核実施の形態では、自動利得制御器において、比較器１０により比較演算された交流成分を積分して直流成分とするＬＰＦ７に替えて、検波用コンデンサを備えたチャージポンプを用い、比較器１０により比較演算された交流成分を積分して直流成分とする構成としてもよい。
【産業上の利用可能性】
【００５８】
本発明にかかるウォブル検出回路は、精度よくウォブル信号を検出することによりＣ／Ｎの改善、ジッタの改善ができる効果を有し、光学的に情報が読み書き可能な光ディスクに対する情報記録再生技術分野、特に、光ディスクの情報記録面上にランド部とグルーブ部とが交互に形成されたトラックをウォブルさせることによりトラックの位置情報を得る光ディスク、及びその記録又は再生装置において、光ディスク再生信号からウォブル信号を検出する回路等において有用である。
【図面の簡単な説明】
【００５９】
【図１】本発明の実施の形態１におけるウォブル検出回路の構成図である。
【図２】本発明の実施の形態２におけるウォブル検出回路の構成図である。
【図３】本発明の実施の形態３におけるウォブル検出回路の構成図である。
【図４】本発明の実施の形態４におけるウォブル検出回路の構成図である。
【図５】従来のウォブル検出回路の構成図である。
【図６（ａ）】実施の形態１におけるウォブル検出回路において、光ディスク再生信号からウォブル信号を検出するまでの光ディスク再生信号の波形図のうち、光検出器の出力した光ディスク再生信号１を示す図である。
【図６（ｂ）】実施の形態１におけるウォブル検出回路において、光ディスク再生信号からウォブル信号を検出するまでの光ディスク再生信号の波形図のうち、光検出器の出力した光ディスク再生信号２を示す図である。
【図６（ｃ）】実施の形態１におけるウォブル検出回路において、光ディスク再生信号からウォブル信号を検出するまでの光ディスク再生信号の波形図のうち、利得制御が行われ可変利得器３から出力された後の光ディスク再生信号１を示す図である。
【図６（ｄ）】実施の形態１におけるウォブル検出回路において、光ディスク再生信号からウォブル信号を検出するまでの光ディスク再生信号の波形図のうち、利得制御が行われ可変利得器４から出力された後の光ディスク再生信号２を示す図である。
【図６（ｅ）】実施の形態１におけるウォブル検出回路において、光ディスク再生信号からウォブル信号を検出するまでの光ディスク再生信号の波形図のうち、引算器の引き算によりＲＦ信号を除去して得られたウォブル信号を示す図である。
【図６（ｆ）】実施の形態１におけるウォブル検出回路において、光ディスク再生信号からウォブル信号を検出するまでの光ディスク再生信号の波形図のうち、ヒステリシス特性を有した比較器でウォブル信号を二値化したウォブル信号を示す図である。
【図７（ａ）】実施の形態２ないし４におけるウォブル検出回路において、光ディスク再生信号からウォブル信号を検出するまでの光ディスク再生信号の波形図のうち、光検出器の出力した光ディスク再生信号１を示す図である。
【図７（ｂ）】実施の形態２ないし４におけるウォブル検出回路において、光ディスク再生信号からウォブル信号を検出するまでの光ディスク再生信号の波形図のうち、光検出器の出力した光ディスク再生信号２を示す図である。
【図７（ｃ）】実施の形態２ないし４におけるウォブル検出回路において、光ディスク再生信号からウォブル信号を検出するまでの光ディスク再生信号の波形図のうち、利得補正して得られた可変利得器３から出力される光ディスク再生信号１を示す図である。
【図７（ｄ）】実施の形態２ないし４におけるウォブル検出回路において、光ディスク再生信号からウォブル信号を検出するまでの光ディスク再生信号の波形図のうち、利得補正して得られた可変利得器４から出力される光ディスク再生信号２を示す図である。
【図７（ｅ）】実施の形態２ないし４におけるウォブル検出回路において、光ディスク再生信号からウォブル信号を検出するまでの光ディスク再生信号の波形図のうち、引算器の引き算によりＲＦ信号を除去して得られたウォブル信号を示す図である。
【図７（ｆ）】実施の形態２ないし４におけるウォブル検出回路において、光ディスク再生信号からウォブル信号を検出するまでの光ディスク再生信号の波形図のうち、ヒステリシス特性を有した比較器でウォブル信号を二値化したウォブル信号を示す図である。
【図７（ｇ）】実施の形態２ないし４におけるウォブル検出回路において、光ディスク再生信号からウォブル信号を検出するまでの光ディスク再生信号の波形図のうち、自動利得制御器の利得制御を行い可変利得器３から出力される光ディスク再生信号１を示す図である。
【図７（ｈ）】実施の形態２ないし４におけるウォブル検出回路において、光ディスク再生信号からウォブル信号を検出するまでの光ディスク再生信号の波形図のうち、自動利得制御器の利得制御を行い可変利得器４から出力される光ディスク再生信号２を示す図である。
【符号の説明】
【００６０】
３  第１の可変利得器
４  第２の可変利得器
２９  第３の可変利得器
３０  第４の可変利得器
３１  第５の可変利得器
３２  第６の可変利得器
５，６，１７  制御バッファ
７，８  ＬＰＦ（低域通過フィルタ）
９  第１の基準電圧
２６  第２の基準電圧
１０，１１，２５  比較器
１３，１４  整流器
１５  引算器
３３、３４  ＤＣ制御器
２３，２４  自動利得制御器
２８  ヒステリシス特性を有する比較器
【図１】
2005322361.tif 000003
【図２】
2005322361.tif 000004
【図３】
2005322361.tif 000005
【図４】
2005322361.tif 000006
【図５】
2005322361.tif 000007
【図６（ａ）】
2005322361.tif 000008
【図６（ｂ）】
2005322361.tif 000009
【図６（ｃ）】
2005322361.tif 000010
【図６（ｄ）】
2005322361.tif 000011
【図６（ｅ）】
2005322361.tif 000012
【図６（ｆ）】
2005322361.tif 000013
【図７（ａ）】
2005322361.tif 000014
【図７（ｂ）】
2005322361.tif 000015
【図７（ｃ）】
2005322361.tif 000016
【図７（ｄ）】
2005322361.tif 000017
【図７（ｅ）】
2005322361.tif 000018
【図７（ｆ）】
2005322361.tif 000019
【図７（ｇ）】
2005322361.tif 000020
【図７（ｈ）】
2005322361.tif 000021